(57)【要約】      （修正有）【課題】回転扉に挟まれる怪我等の事故防止をする。【解決手段】扉本体１に、内側補助扉３と外側補助扉２を扉本体１に設け内側補助扉３と外側補助扉２を扉本体１に支持する為に連動片開双丁番４を設け扉本体１に内側補助扉３と外側補助扉２を介装させ、一体化した扉にし、連動片開双丁番支え板５に連動片開双丁番右側板６と連動片開双丁番左側板７を咬合させ、スプリング８を係合するように設け、軸棒９を連動片開双丁番支え板５、連動片開双丁番右側板６、連動片開双丁番左側板７、スプリング８、８ａとのそれぞれの径に添って通し係止する。外側補助扉２を内側に押す事によりくの字に折れ、押した状態から手等を解放すると、元の形の扉の形状に復元されることにより、回転扉に挟まれる怪我などの事故防止に役立つ。【選択図】図５
0003105863.tif 000002
【実用新案登録請求の範囲】
【請求項１】
扉本体に連動片開双丁番を設け、扉本体に内側補助扉と外側補助扉を設けるとともに内側補助扉には連動片開双丁番支え板を取り付けるように設け、扉本体には連動片開双丁番右側板を取り付けるように設け、外側補助扉には連動片開双丁番左側板を取り付けるように設けることにより、扉本体の回転時に外側補助扉の外僻面に近く回転状態の扉に接して扉の内側等に入ろうとするとき等、外側補助扉の外僻面と壁部に隙間を生じる所に、挟まることがありこのような事が起きた場合、一定の負荷を扉の内側にかかるように外側補助扉を押すと連動片開双丁番に設けられている外側補助扉は常備はスプリングの反発により扉本体と一体化状態で平行に扉の役割を行っているが外側補助扉は扉の内側に曲がることが可能な為、挟まれる等の事故から容易に脱出する事が出来る。また挟まれる状況の中で外側補助扉の解除範囲では、脱出隙間が少ないことと、外側補助扉を押すにあたりその力を容易に弾きだせる事が出来るように、巾の狭い内側補助扉を設ける事により、巾の長い外側補助扉と連動して、曲がる事が可能な為に、僅かな力で挟まれる等の事故から容易に脱出する事が出来る、このような安全補助扉を持ったことを特徴とする補助扉付き回転扉。
【考案の詳細な説明】
【技術分野】
【０００１】  本考案は、扉本体に連動片開双丁番を設け、扉本体に内側補助扉と外側補助扉を設けるとともに内側補助扉には連動片開双丁番支え板を取り付けるように設け、扉本体には連動片開双丁番右側板を取り付けるように設け、外側補助扉には連動片開双丁番左側板を取り付けるように設けた補助扉付き回転扉に関するものである。
【背景技術】
【０００２】  自在に回る回転扉には共通の欠点がある、すなわち出入り口に設けられる壁との交差に隙間が生じるという、思い掛けない理屈では考えにくい、挟まるという事故に繋がる欠点が生まれる、その為に小さな子供やお年寄りなどは扉の回転に巻き込まれるという事に対処出来なかった。
【考案の開示】
【考案が解決しようとする課題】
【０００３】  従来の回転扉による出入り口に設けられる壁との交差に隙間が生じ、その間に挟まれ事故の元になっていた。センサーによる防御や壁との交差の所に緩衝材などを設ける等の曖昧な対策を行い、事故になってしまう要因を解除する事が出来ないなど、回転ドアなどの回転扉式の事故防御が出来ない、しかし回転扉の持つ長所もあるゆえにどうしても避けられない回転扉の挟まり防止を容易に力の弱い子供やお年寄りでも自ら体にダメージを受ける前に脱却出来るようにし、前述の欠点を解決しようとするものである。
【課題を解決するための手段】
【０００４】  本考案は、扉本体に連動片開双丁番を設け、扉本体に内側補助扉と外側補助扉を設け、扉本体は固定状態であるが、扉本体に設けた内側補助扉と外側補助扉は連動片開双丁番のスプリング作用で常備は扉本体と一体かした動きで一枚ドアーのように回転したりするが、出入り口に設けられる壁との交差に隙間が生じ、その間に挟まれることが起きた場合は、外側補助扉を内側に押す事により、くの字に容易に折る事が出来挟まれた状態から体が解除出来る。また力の弱い者でも楽に解除出来る為に、長い巾の外側補助扉を内側に押すと、てこの原理を応用して、もう一つの扉本体に設けた内側補助扉がくの字に解除されるようにしてあることにより問題点を解決している。
【考案の効果】
【０００５】  上述の様に、本考案の扉本体は内側補助扉と外側補助扉を設けることにより、回転扉の危険度を解消することにより、回転扉の持つ長所である館内との温度を逃さないまたは大勢の出入りが可能などの特徴をいかす事が出来、回転扉として役立つ。【０００６】  扉本体は回転軸の円柱などに固定取り付けてあり一定の方向に回転している、扉本体の先端部にあたる一部に、内側補助扉と外側補助扉を設け、扉本体に設けた連動片開双丁番に内側補助扉と外側補助扉を固定取り付け、連動片開双丁番のスプリング作用で内側補助扉と外側補助扉は扉本体と一体かした動きで一枚ドアーのように回転出来る。回転扉に挟まれる状況は外側補助扉の先端面に挟まれる事になるため、外側補助扉を軽く内側に押す事によりくの字に容易に折る事が出来挟まれた状態から体が解除出来また内側補助扉が連動して動く為さらにくの字が広がり開放が範囲が拡大することにより、外側補助扉の先端面に挟まれた状況から、容易に脱却することが出来る
【実施例】
【０００７】  以下、添付図面に従って一実施例を説明する。扉本体は平面ドアや半円ドアーなどの形状にて形成された扉本体１、内側補助扉３と外側補助扉２を扉本体１に設ける。
内側補助扉３と外側補助扉２を扉本体１に支持する為に連動片開双丁番４を設け扉本体１に内側補助扉３と外側補助扉２を介装させ、一体化した扉にする。【０００８】  連動片開双丁番４は、ステンレスや鉄などの適宣素材にて形成され、連動片開双丁番支え板５に連動片開双丁番右側板６と連動片開双丁番左側板７を咬合させ、スプリング８を係合するように設け、軸棒９を連動片開双丁番支え板５、連動片開双丁番右側板６、連動片開双丁番左側板７、スプリング８、８ａとのそれぞれの径に添って通し係止する、軸棒９、９ａを通し係止したら軸棒９、９ａに設けられた軸ネジ溝１０、１０ａ、１０ｂ、１０ｃに軸止めネジ１１、１１ａ、１１ｂ、１１ｃを封着する。【００９】  本考案の一実施例は上述のごとき構成からなるものであるから、扉本体１、内側補助扉３と外側補助扉２を扉本体１に連動片開双丁番４を複数のビス止め孔１２に添ってモクネジ等により固定し設けることにより外側補助扉２を内側に押す事によりくの字に折れるまた、内側補助扉３が連動してうごくが、くの字に折れた外側補助扉２を押した状態から手等を解放すると、外側補助扉２と内側補助扉３は連動片開双丁番４に設けられているスプリング８、８ａにより扉本体１と平行もしくは扉の形状に添った元の形の扉の形状に復元される。
【図面の簡単な説明】
【００１０】
【図１】  本考案の補助扉付き回転扉の一実施例を示す斜視図
【図２】  本考案の連動片開双丁番状態を示す拡大表面斜視図
【図３】  本考案の連動片開双丁番状態を示す拡大裏面斜視図
【図４】  本考案の連動片開双丁番状態を示す拡大分解斜視図
【図５】  本考案の実施例状態を示す斜視図
【図６】  本考案の実施例状態を示す平面斜視図
【符号の説明】
【００１１】  １  扉本体
２  外側補助扉
３  内側補助扉
４  連動片開双丁番
５  連動片開双丁番支え板
６  連動片開双丁番右側板
７  連動片開双丁番左側板
８  スプリング
９  軸棒
１０  軸ネジ溝
１１  軸止めネジ
１２  丁番止め孔
【図１】
0003105863.tif 000003
【図２】
0003105863.tif 000004
【図３】
0003105863.tif 000005
【図４】
0003105863.tif 000006
【図５】
0003105863.tif 000007
【図６】
0003105863.tif 000008